(57)【要約】【課題】  招待制のコミュニケーションサイトにおいて、会員が情報を発信する相手の範囲を限定しながら、情報の発信を通じた交友範囲の拡大が可能なコンテンツ送信装置及びコンテンツ送信方法を提供する。【解決手段】  お誘い状発行処理部２２は、お誘い状の発行要求時には、通信制御部１２において認証された会員端末１００から、お誘い状の送信先の会員の名前、お誘い状の内容及び転送条件の入力を受け付けてお誘い状を発行する。お誘い状を受信した会員は、上記の転送条件に従ってお誘い状を他の会員に転送することができる。転送先に指定された会員にお誘い状が既に送信されていない場合には、お誘い状発行処理部２２は、転送条件に従ってお誘い状を発行し、転送先に指定された会員のメッセージボックス１８２にお誘い状を格納する。要求制御部１４は、転送先に指定された会員にお誘い状が既に送信されている場合には、会員端末１００に対してその旨の警告メッセージを送信する。【選択図】      図１
2008226143.tif 000002
【特許請求の範囲】
【請求項１】
コミュニケーションサイトの会員の登録情報及び会員間の友達関係の情報を管理する会員情報管理手段と、
お誘い状の発行元の会員からお誘い状の発行要求を受け付けて、前記発行元の会員と友達関係が設定された会員の中から前記発行元の会員によって指定された会員に対してお誘い状を発行するお誘い状発行手段と、
前記発行元の会員からの転送条件の設定要求を受け付けて、前記お誘い状を受け取った会員によりお誘い状が転送される場合における転送条件を設定する転送条件設定手段と、
前記お誘い状を受け取った転送元の会員からのお誘い状の転送要求を受け付けると、前記転送要求が前記お誘い状の発行要求を行った発行元の会員からの設定要求に従って設定された転送条件を満たすかどうかを判断する判断手段と、
前記転送要求が前記転送条件を満たす場合に、前記転送元の会員と友達関係が設定された会員の中から、前記転送元の会員からの転送要求において指定された転送先の会員にお誘い状を転送するお誘い状転送手段と、
を備えることを特徴とするコンテンツ送信装置。
【請求項２】
前記転送条件設定手段は、前記発行元の会員からの転送条件の設定要求を受け付けて、友達関係、お誘い状の転送数の累計又は日時のうちの少なくとも１つの条件に基づいて転送条件を設定することを特徴とする請求項１記載のコンテンツ送信装置。
【請求項３】
前記お誘い状が転送された転送元及び転送先の会員に関する転送履歴情報を記録する転送履歴記録手段と、
前記お誘い状を受け取った会員に対して、前記転送履歴情報を提供する転送履歴情報提供手段と、
を更に備えることを特徴とする請求項１又は２記載のコンテンツ送信装置。
【請求項４】
前記コミュニケーションサイトの会員に関するコンテンツを蓄積するコンテンツ蓄積手段と、
前記お誘い状を受け取った会員に対して、前記転送履歴情報に登場する転送元の会員に関するコンテンツを提供するコンテンツ提供手段と、
を更に備えることを特徴とする請求項３記載のコンテンツ送信装置。
【請求項５】
前記お誘い状と関連付けられたコンテンツであるお誘いトピックを生成するお誘いトピック生成手段と、
前記発行元の会員及び前記お誘い状を受け取った会員から前記お誘いトピックへのコメント又は画像の少なくとも一方の投稿を受け付ける投稿受付手段と、
前記発行元の会員及び前記お誘い状を受け取った会員に対して、前記お誘いトピック、及び前記お誘いトピックに投稿されたコメントを提供するお誘いトピック提供手段と、
を更に備えることを特徴とする請求項１から４のいずれか１項記載のコンテンツ送信装置。
【請求項６】
前記お誘いトピックにコメントを投稿した会員の人数、前記コメントの数、前記コメントが閲覧された回数、前記コメントを閲覧した会員の人数又は前記お誘い状を受信した会員の人数のうちの少なくとも１つの情報を記録し、前記お誘い状を発行又は受け取った会員に提供する情報提供手段を更に備えることを特徴とする請求項５記載のコンテンツ送信装置。
【請求項７】
コミュニケーションサイトの会員からお誘い状の発行要求を受け付けて、前記発行元の会員と友達関係が設定された会員の中から前記発行元の会員によって指定された会員に対してお誘い状を発行するお誘い状発行工程と、
前記発行元の会員からの転送条件の設定要求を受け付けて、前記お誘い状を受け取った会員によりお誘い状が転送される場合における転送条件を設定する転送条件設定工程と、
前記お誘い状を受け取った転送元の会員からのお誘い状の転送要求を受け付けると、前記転送要求が前記お誘い状の発行要求を行った発行元の会員からの設定要求に従って設定された転送条件を満たすかどうかを判断する判断工程と、
前記転送要求が前記転送条件を満たす場合に、前記転送元の会員と友達関係が設定された会員の中から、前記転送元の会員からの転送要求において指定された転送先の会員にお誘い状を転送するお誘い状転送工程と、
を備えることを特徴とするコンテンツ送信方法。
【請求項８】
前記転送条件設定工程では、前記発行元の会員からの転送条件の設定要求を受け付けて、友達関係、お誘い状の転送数の累計又は日時のうちの少なくとも１つの条件に基づいて転送条件を設定することを特徴とする請求項７記載のコンテンツ送信方法。
【請求項９】
前記お誘い状が転送された転送元及び転送先の会員に関する転送履歴情報を記録する転送履歴記録工程と、
前記お誘い状を受け取った会員に対して、前記転送履歴情報を提供する転送履歴情報提供工程と、
を更に備えることを特徴とする請求項７又は８記載のコンテンツ送信方法。
【請求項１０】
前記コミュニケーションサイトの会員に関するコンテンツを蓄積するコンテンツ蓄積工程と、
前記お誘い状を受け取った会員に対して、前記転送履歴情報に登場する転送元の会員に関するコンテンツを提供するコンテンツ提供工程と、
を更に備えることを特徴とする請求項９記載のコンテンツ送信方法。
【請求項１１】
前記お誘い状と関連付けられたコンテンツであるお誘いトピックを生成するお誘いトピック生成工程と、
前記発行元の会員及び前記お誘い状を受け取った会員から前記お誘いトピックへのコメント又は画像の少なくとも一方の投稿を受け付ける投稿受付工程と、
前記発行元の会員及び前記お誘い状を受け取った会員に対して、前記お誘いトピック、及び前記お誘いトピックに投稿されたコメントを提供するお誘いトピック提供工程と、
を更に備えることを特徴とする請求項７から１０のいずれか１項記載のコンテンツ送信方法。
【請求項１２】
前記お誘いトピックにコメントを投稿した会員の人数、前記コメントの数、前記コメントが閲覧された回数、前記コメントを閲覧した会員の人数又は前記お誘い状を受信した会員の人数のうちの少なくとも１つの情報を記録し、前記お誘い状を発行又は受け取った会員に提供する情報提供工程を更に備えることを特徴とする請求項１１記載のコンテンツ送信方法。
【発明の詳細な説明】
【技術分野】
【０００１】
本発明はコンテンツ送信装置及びコンテンツ送信方法に係り、特に招待制のコミュニケーションサイトに登録した会員が作成したコンテンツを提供するためのコンテンツ送信装置及びコンテンツ送信方法に関する。
【背景技術】
【０００２】
特許文献１には、インターネットを通じて、アナウンス、掲示板、スケジューラ、タスク管理、住所管理、リンク集、予約管理などの基本的な情報管理・共有機能を揃え、これら機能を複数ユーザーと複数グループの自在な組み合わせの中で利用する情報管理・共有システムが開示されている。
【特許文献１】特開２０００−１８１９５６号公報
【発明の開示】
【発明が解決しようとする課題】
【０００３】
インターネット上において、掲示板サービスや、コミュニケーションサービスが普及している。上記のようなサービスを利用して、例えば、「情報を得る」又は「何かイベントを開催したい」等の情報を発信する場合、不特定多数、あるいは、知人、友人等の発信者の身近な限定された相手にしか情報を発信することができなかった。しかしながら、実際の人間関係では、友達の友達を通じて情報を得ること、友達を通じて新たな友達を得ることが多い。従来のインターネット上のサービスでは、このような中間関係の人（例えば、友達ではないが、知らない人でもない）との間で交流を結ぶための手段がなく、交友範囲を広げ、情報の発信する相手を増加させるのが困難であった。
【０００４】
本発明はこのような事情に鑑みてなされたもので、招待制のコミュニケーションサイトにおいて、会員が情報を発信する相手の範囲を限定しながら、情報の発信を通じた交友範囲の拡大が可能なコンテンツ送信装置及びコンテンツ送信方法を提供することを目的とする。
【課題を解決するための手段】
【０００５】
上記課題を解決するために、本願発明１に係るコンテンツ送信装置は、コミュニケーションサイトの会員の登録情報及び会員間の友達関係の情報を管理する会員情報管理手段と、お誘い状の発行元の会員からお誘い状の発行要求を受け付けて、前記発行元の会員と友達関係が設定された会員の中から前記発行元の会員によって指定された会員に対してお誘い状を発行するお誘い状発行手段と、前記発行元の会員からの転送条件の設定要求を受け付けて、前記お誘い状を受け取った会員によりお誘い状が転送される場合における転送条件を設定する転送条件設定手段と、前記お誘い状を受け取った転送元の会員からのお誘い状の転送要求を受け付けると、前記転送要求が前記お誘い状の発行要求を行った発行元の会員からの設定要求に従って設定された転送条件を満たすかどうかを判断する判断手段と、前記転送要求が前記転送条件を満たす場合に、前記転送元の会員と友達関係が設定された会員の中から、前記転送元の会員からの転送要求において指定された転送先の会員にお誘い状を転送するお誘い状転送手段とを備えることを特徴とする。
【０００６】
本願発明１によれば、招待制のコミュニケーションサイトにおいて、会員がお誘い状の転送を許可する範囲を設定することができるので、転送先の会員の範囲を適度に限定しながら、お誘い状を通じて交友範囲を拡げることができる。
【０００７】
本願発明２は、本願発明１のコンテンツ送信装置において、前記転送条件設定手段は、前記発行元の会員からの転送条件の設定要求を受け付けて、友達関係、お誘い状の転送数の累計又は日時のうちの少なくとも１つの条件に基づいて転送条件を設定することを特徴とする。
【０００８】
本願発明２によれば、友達関係、お誘い状の転送数の累計又は日時に基づく転送条件を設定することができるので、転送先の会員の範囲を適度に限定しながら、お誘い状を通じて交友範囲を拡げることができる。
【０００９】
本願発明３は、本願発明１又は２のコンテンツ送信装置において、前記お誘い状が転送された転送元及び転送先の会員に関する転送履歴情報を記録する転送履歴記録手段と、前記お誘い状を受け取った会員に対して、前記転送履歴情報を提供する転送履歴情報提供手段とを更に備えることを特徴とする。
【００１０】
本願発明４は、本願発明３のコンテンツ送信装置において、前記コミュニケーションサイトの会員に関するコンテンツを蓄積するコンテンツ蓄積手段と、前記お誘い状を受け取った会員に対して、前記転送履歴情報に登場する転送元の会員に関するコンテンツを提供するコンテンツ提供手段とを更に備えることを特徴とする。
【００１１】
本願発明３及び４によれば、転送履歴情報に基づいて、お誘い状を中継した会員に関する情報を得ることができるので、お誘い状を通じて交友範囲を拡げることができる。
【００１２】
本願発明５は、本願発明１から４のコンテンツ送信装置において、前記お誘い状と関連付けられたコンテンツであるお誘いトピックを生成するお誘いトピック生成手段と、前記発行元の会員及び前記お誘い状を受け取った会員から前記お誘いトピックへのコメント又は画像の少なくとも一方の投稿を受け付ける投稿受付手段と、前記発行元の会員及び前記お誘い状を受け取った会員に対して、前記お誘いトピック、及び前記お誘いトピックに投稿されたコメントを提供するお誘いトピック提供手段とを更に備えることを特徴とする。
【００１３】
本願発明５によれば、発行元及びお誘い状を受け取った会員との間で、相互にコメントを通じたやりとりが可能なお誘いトピックを提供することにより、お誘い状を通じて交友範囲を拡げることができる。
【００１４】
本願発明６は、本願発明５のコンテンツ送信装置において、前記お誘いトピックにコメントを投稿した会員の人数、前記コメントの数、前記コメントが閲覧された回数、前記コメントを閲覧した会員の人数又は前記お誘い状を受信した会員の人数のうちの少なくとも１つの情報を記録し、前記お誘い状を発行又は受け取った会員に提供する情報提供手段を更に備えることを特徴とする。
【００１５】
本願発明７に係るコンテンツ送信方法は、コミュニケーションサイトの会員からお誘い状の発行要求を受け付けて、前記発行元の会員と友達関係が設定された会員の中から前記発行元の会員によって指定された会員に対してお誘い状を発行するお誘い状発行工程と、前記発行元の会員からの転送条件の設定要求を受け付けて、前記お誘い状を受け取った会員によりお誘い状が転送される場合における転送条件を設定する転送条件設定工程と、前記お誘い状を受け取った転送元の会員からのお誘い状の転送要求を受け付けると、前記転送要求が前記お誘い状の発行要求を行った発行元の会員からの設定要求に従って設定された転送条件を満たすかどうかを判断する判断工程と、前記転送要求が前記転送条件を満たす場合に、前記転送元の会員と友達関係が設定された会員の中から、前記転送元の会員からの転送要求において指定された転送先の会員にお誘い状を転送するお誘い状転送工程とを備えることを特徴とする。
【００１６】
本願発明８は、本願発明７のコンテンツ送信方法において、前記転送条件設定工程では、前記発行元の会員からの転送条件の設定要求を受け付けて、友達関係、お誘い状の転送数の累計又は日時のうちの少なくとも１つの条件に基づいて転送条件を設定することを特徴とする。
【００１７】
本願発明９は、本願発明７又は８のコンテンツ送信方法において、前記お誘い状が転送された転送元及び転送先の会員に関する転送履歴情報を記録する転送履歴記録工程と、前記お誘い状を受け取った会員に対して、前記転送履歴情報を提供する転送履歴情報提供工程とを更に備えることを特徴とする。
【００１８】
本願発明１０は、本願発明９のコンテンツ送信方法において、前記コミュニケーションサイトの会員に関するコンテンツを蓄積するコンテンツ蓄積工程と、前記お誘い状を受け取った会員に対して、前記転送履歴情報に登場する転送元の会員に関するコンテンツを提供するコンテンツ提供工程とを更に備えることを特徴とする。
【００１９】
本願発明１１は、本願発明７から１０のコンテンツ送信方法において、前記お誘い状と関連付けられたコンテンツであるお誘いトピックを生成するお誘いトピック生成工程と、前記発行元の会員及び前記お誘い状を受け取った会員から前記お誘いトピックへのコメント又は画像の少なくとも一方の投稿を受け付ける投稿受付工程と、前記発行元の会員及び前記お誘い状を受け取った会員に対して、前記お誘いトピック、及び前記お誘いトピックに投稿されたコメントを提供するお誘いトピック提供工程とを更に備えることを特徴とする。
【００２０】
本願発明１２は、本願発明１１のコンテンツ送信方法において、前記お誘いトピックにコメントを投稿した会員の人数、前記コメントの数、前記コメントが閲覧された回数、前記コメントを閲覧した会員の人数又は前記お誘い状を受信した会員の人数のうちの少なくとも１つの情報を記録し、前記お誘い状を発行又は受け取った会員に提供する情報提供工程を更に備えることを特徴とする。
【発明の効果】
【００２１】
本発明によれば、招待制のコミュニケーションサイトにおいて、会員がお誘い状の転送を許可する範囲を設定することができるので、転送先の会員の範囲を適度に限定しながら、お誘い状を通じて交友範囲を拡げることができる。
【発明を実施するための最良の形態】
【００２２】
以下、添付図面に従って本発明に係るコンテンツ送信装置及びコンテンツ送信方法の好ましい実施の形態について説明する。
【００２３】
［コンテンツ送信装置の構成］
図１は、本発明の一実施形態に係るコンテンツ送信装置を含むコンテンツ送信システムの主要構成を示すブロック図である。本実施形態に係るコンテンツ送信装置１０は、招待制のコミュニケーションサイト（所謂、ＳＮＳサービス）に登録した会員が所有する会員端末１００に対して各種コンテンツを送信するための装置であり、例えば、サーバにより構成される。なお、以下の説明では、コンテンツ送信装置１０、及びコンテンツ送信装置１０とネットワークＮＷを介して通信可能な会員端末１００を含む系をコンテンツ送信システム１という。
【００２４】
図１に示すように、会員端末１００は、画像及びテキストを表示するための表示部１０２と、会員からの操作入力を受け付ける入力部１０４とを備えている。会員端末１００は、例えば、インターネット通信機能を有する携帯電話機、携帯情報端末（ＰＤＡ）、パーソナルコンピュータ（ＰＣ）により構成される。
【００２５】
コンテンツ送信装置１０は、通信制御部１２、要求制御部１４、会員管理データベース１６、コンテンツ管理データベース１８、コンテンツ更新処理部２０、お誘い状発行処理部２２、お誘いトピック生成処理部２４及び転送・アクセス履歴管理部２６を備えている。
【００２６】
コンテンツ送信装置１０は、会員端末１００からアップロードされたコンテンツ（メッセージ、文書、画像を含む）を蓄積し、会員端末１００からの要求に応じて上記コンテンツを送信する。通信制御部１２は、コンテンツのアップロードの受け付け時、及びコンテンツの送信時に、会員端末１００の認証を行う。会員の認証は、各会員に割り当てられた固有の会員ＩＤ及びパスワード等により行われ、上記コミュニケーションサイトに登録していない非会員は、コンテンツのアップロード及び閲覧が一部又は全面的に制限されるようになっている。
【００２７】
会員管理データベース１６には、上記コミュニケーションサイトに登録している会員の情報、認証情報が格納される。また、会員管理データベース１６には、会員間の友達関係に関する情報が格納される。
【００２８】
コンテンツ管理データベース１８には、会員からアップロードされたコンテンツ１８０が格納される。要求制御部１４は、通信制御部１２において認証を受けた会員端末１００からのコンテンツの更新（アップロード、閲覧）要求を受け付けてコンテンツ更新処理部２０に通知する。コンテンツ更新処理部２０は、会員端末１００からのコンテンツの更新要求に応じてコンテンツ管理データベース１８内の会員のコンテンツ１８０を更新する。
【００２９】
通信制御部１２は、お誘い状の発行元の会員（以下、お誘い主と記載する）が所有する会員端末１００から他の会員に対するお誘い状の発行要求を受け付けて要求制御部１４に通知する。
【００３０】
要求制御部１４は、会員端末１００から受信したお誘い状の発行要求をお誘い状発行処理部２２及びお誘いトピック生成処理部２４に通知する。お誘い状発行処理部２２は、お誘い状の発行要求時には、通信制御部１２において認証された会員端末１００から、お誘い状の送信先の会員の名前（ＩＤ）、お誘い状の内容（お誘い文）及びお誘い状の転送条件の入力を受け付けてお誘い状を発行する。お誘い状には、お誘い状の内容（例えば、「隅田川の花火みに行く？」、「一緒にスッポンを食べに行きませんか？」、「昨日の花見の写真をアップしてください」、「テニスサークルを作りませんか？」）が記載される。また、お誘い状の付加情報（例えば、ヘッダ情報）には、転送条件が書き込まれる。転送条件は、例えば、会員間の友達関係、人数又は日時（例えば、お誘い状の有効期限）により設定される。発行されたお誘い状は、コンテンツ管理データベース１８の送信先会員のメッセージボックス１８２に格納される。
【００３１】
お誘いトピック生成処理部２４は、要求制御部１４からの通知に応じてお誘いトピック１８４を生成する。お誘いトピック１８４は、テンポラリーな日記風の掲示板（ＢＢＳ）として機能するコンテンツであり、お誘い主とお誘い状を受信した会員だけがアクセス可能となっている。お誘いトピック１８４は、コンテンツ管理データベース１８に格納される。
【００３２】
上記のように、お誘い状が発行され、お誘いトピック１８４が生成されると、要求制御部１４により送信先の会員に対してお誘い状が発行されたことを通知する電子メール（お誘い状発行通知メール）が送信される。
【００３３】
お誘い状を受信した会員は、上記の転送条件に従ってお誘い状を他の会員に転送することができる。また、上記のように、お誘い主は、お誘い状の転送条件を設定することで、お誘い状が転送される範囲を制限することができる。
【００３４】
要求制御部１４は、お誘い状を受け取った会員からのお誘い状の転送要求を受信すると、その旨をお誘い状発行処理部２２及び転送・アクセス履歴管理部２６に通知する。転送・アクセス履歴管理部２６は、お誘い状の他の会員への転送履歴及びお誘い状を受信した会員からのアクセス履歴を、コンテンツ管理データベース１８に記録する。転送・アクセス履歴管理部２６は、コンテンツ管理データベース１８の転送履歴から転送先に指定された会員にお誘い状が既に送信されているかどうかを判断する。お誘い状発行処理部２２は、転送先に指定された会員にお誘い状が既に送信されていない場合には、お誘い状に付加された転送条件に従ってお誘い状を発行し、転送要求により指定された転送先の会員のメッセージボックス１８２にお誘い状を格納する。要求制御部１４は、転送先に指定された会員にお誘い状が既に送信されている場合には、会員端末１００に対してその旨の警告メッセージを送信する。なお、警告メッセージの表示時には、転送履歴を表示するようにしてもよい。また、要求制御部１４は、お誘い状の転送要求時に転送条件を満たさない転送先が指定されている場合には、その旨の警告メッセージを会員端末１００に送信する。
【００３５】
図２は、お誘い状の転送処理を説明するための図である。図２に示すように、本実施形態によれば、お誘い主によって設定された転送条件に従って、お誘い状１８６の転送を繰り返すことができる。なお、お誘い状１８６には、お誘い状が転送されてきた転送ルートが記載される。また、お誘い状１８６を受信した会員は、お誘いトピック１８４の閲覧、コメント及び画像の投稿が可能になる。
【００３６】
［操作画面］
図３は、お誘い状の発行要求時にコンテンツ送信装置１０から会員端末１００に提供される操作画面（ＧＵＩ）を示す図である。図３（ａ）は、コンテンツ送信装置１０から認証された会員端末１００に最初に提供される基本画面（マイページ）のＧＵＩを示している。図３（ａ）の「書く」のリンクボタンＢ１４が選択（クリック）されると、図３（ｂ）のお誘い内容入力画面に移行する。
【００３７】
図３（ｂ）のお誘い内容入力画面では、お誘い文（タイトル、本文）、及び転送条件の入力を受け付ける。図３（ｂ）では、転送条件の選択肢（転送あり（無制限）、転送あり（トモダチまで）、転送あり（トモダチのトモダチまで）、転送あり（２０人まで）、転送あり（１００人まで）、転送なし）が表示されており、チェックボックスＢ１６により選択可能となっている。なお、図３（ｂ）のお誘い内容入力画面では、複数の選択肢を選択したり、選択肢以外の任意の条件を設定することも可能である。お誘い文の入力及び転送条件の設定後、「次へ」ボタンＢ１８が選択されると、図３（ｃ）の送信先設定画面に移行する。
【００３８】
図３（ｃ）の送信先設定画面には、お誘い主の会員との間で友達関係が登録された会員の名前が表示されており、チェックボックスＢ２０により送信先を選択可能となっている。なお、送信先の会員は複数設定可能であるが、転送条件で人数が設定されている場合には、図３（ｃ）の送信先設定画面では転送条件の制限人数以上はチェックボックスＢ２０で設定できないようになっている。送信先の設定後、「送信」ボタンＢ２２が選択されると、お誘い状が発行され、お誘いトピックが生成される。
【００３９】
図４は、お誘いトピックの閲覧時の操作画面（ＧＵＩ）を示す図である。図４（ａ）に示すように、お誘い状を受信した会員のマイページに新着お誘いがある旨のリンクボタンＢ１０が表示される。リンクボタンＢ１０が選択されると、会員のメッセージボックス１８２からお誘い状が読み出されて、図４（ｂ）のお誘い状一覧画面に移行する。
【００４０】
図４（ｂ）のお誘い状一覧画面には、お誘い状のタイトルが一覧表示される。図４（ｂ）のお誘い状一覧画面では、例えば、未読のお誘い状の場合には新着順、既読のお誘い状の場合には更新日時が最近のものの順に表示される。また、図４（ｂ）では、お誘い状のタイトルに対応して「参加」ボタンＢ２４が設けられている。なお、「参加」ボタンＢ２４に加えて、各お誘い状の転送要求を行うための転送ボタンを設けるようにしてもよい。
【００４１】
図４（ｂ）の「参加」ボタンＢ２４が選択されると、図４（ｃ）の参加トピック詳細画面が表示される。図４（ｃ）の参加トピック詳細画面には、お誘いトピック１８４の内容（タイトル、本文、お誘い状を受信した会員から投稿されたコメント等）が表示される。図４（ｃ）の参加トピック詳細画面では、お誘いトピックに対するコメントが投稿を受付可能となっている。また、会員からの画像の投稿を受付可能となっており、「お誘いトピック」の参加者が投稿した画像（例えば、写真データ）を、お誘い主（管理者）が選択して、アルバム化（スライドショー、ステンドグラス等）することができる。
【００４２】
なお、図４（ｃ）の「削除」、「凍結」のリンクボタンは、それぞれお誘いトピックの削除、凍結（コメントの投稿受付を停止する）を指示するためのボタンであり、お誘い主（管理者）が閲覧される場合にのみ表示される。
【００４３】
図４（ｃ）の転送ボタンＢ２６が選択されると、図３（ｃ）に示した送信先設定画面に移行し、送信先が設定されて「送信」ボタンＢ２２が選択されると、設定された送信先にお誘い状が転送される。指定された転送先に既にお誘い状が転送されている場合には、その旨を通知する警告メッセージが表示される。また、転送条件を満たしていない場合にも、その旨を通知する警告メッセージが表示される。例えば、転送先がトモダチまでに設定されている場合には、送信先設定画面では、お誘い主の会員とお誘い状を受信した会員の共通のトモダチが転送先に指定された状態で「送信」ボタンＢ２２が選択されると、警告メッセージが表示される。また、転送条件で人数が制限されている場合には、転送・アクセス履歴管理部２６により記録されたお誘い状の転送回数の累計とチェックボックスＢ２０で指定された転送先の数の和が転送条件の人数以上の状態で、「送信」ボタンＢ２２が選択されると、警告メッセージが表示される。
【００４４】
なお、転送条件に応じて、予め転送不可能な会員の名前を表示させないようにしたり、予め転送不可能な会員のチェックボックスＢ２０を使用不可にしておくことも可能である。また、転送条件で人数が制限されている場合に、転送・アクセス履歴管理部２６により記録されたお誘い状の転送回数の累計とチェックボックスＢ２０で指定された転送先の数の和が転送条件の人数になった場合に、他のチェックボックスＢ２０にチェックできなくするようにしてもよい。
【００４５】
一方、図４（ａ）の「お誘い」のリンクボタンＢ１２が選択されると、当該会員が参加しているトピックの一覧表示画面（図４（ｄ））に移行する。図４（ｄ）の各参加トピックのタイトルのリンクボタンＢ２８が選択されると、図４（ｃ）の参加トピック詳細画面に移行する。また、図４（ｄ）の「お誘い状一覧へ」のリンクボタンＢ３０が選択されると、図４（ｂ）のお誘い状一覧画面に移行する。
【００４６】
図５は、お誘いトピックのステータスの閲覧画面（ＧＵＩ）を示す図である。図５（ａ）はお誘い状一覧画面（図４（ｂ）と同様）であり、図５（ｂ）は参加トピック詳細画面（図４（ｃ）と同様）である。図５（ｂ）の「ステータスを表示」のリンクボタンＢ３２が選択されると、図５（ｃ）のお誘いステータス閲覧画面に移行する。また、図５（ａ）の各参加トピックのタイトルのリンクボタンＢ３０が選択されると、図５（ｄ）のお誘い詳細画面に移行し、図５（ｄ）の「ステータスを表示」のリンクボタンＢ３４が選択されると、図５（ｃ）のお誘いステータス閲覧画面に移行する。
【００４７】
図５（ｃ）に示すように、お誘いステータス閲覧画面では、管理者（お誘い主）の名前、参加者の名前と当該参加者にお誘い状を送信した会員の名前（お誘い状の転送ルート）、お誘い状の受信者数、各会員がお誘い状を転送した数、お誘いトピックへのアクセス者数、アクセス数、お誘いトピックに投稿されたコメント、コメントの数、コメントの閲覧回数、コメントを閲覧した会員の人数、お誘いトピックの有効期間等のステータス情報が表示される。また、転送ルートに記載された会員の名前は、当該会員の公開用コンテンツ（例えば、プロフィール情報、プロフィール画像）へアクセスするためのリンクボタンになっている。
【００４８】
［お誘い状の発行処理］
図６は、お誘い状の発行処理の流れを示すフローチャートである。まず、お誘い状の発行要求を受信すると（ステップＳ１０）、お誘いトピック生成処理部２４によってお誘いトピック１８４が生成されて、コンテンツ管理データベース１８に格納される（ステップＳ１２）。また、お誘い状発行処理部２２によってお誘い状が発行され、送信先の会員のメッセージボックス１８２に格納される（ステップＳ１４）。次に、お誘い状発行通知メールが送信先会員宛に送信される（ステップＳ１６）。
【００４９】
［お誘い状の転送処理］
図７は、お誘い状の転送処理の流れを示すフローチャートである。まず、お誘い状を受信した会員からのお誘い状の転送要求を受信すると（ステップＳ２０）、転送要求における転送先の会員の指定がお誘い状に付された転送条件を満たすかどうかが判断される（ステップＳ２２）。そして、転送条件（例えば、友達関係、人数に基づく転送制限）を満たさない場合には（ステップＳ２２のＮｏ）、要求制御部１４によって会員端末１００に警告メッセージが送信される（ステップＳ２４）。一方、転送条件を満たす場合には（ステップＳ２２のＹｅｓ）、次に転送先に指定された会員に対してお誘い状が送信されているかどうかが、転送・アクセス履歴管理部２６により判断される（ステップＳ２６）。そして、転送先に指定された会員に対してお誘い状が送信されている場合には（ステップＳ２６のＹｅｓ）、会員端末１００に対して警告メッセージが送信される（ステップＳ２４）。一方、転送先に指定された会員に対してお誘い状が送信されていない場合には（ステップＳ２６のＮｏ）、お誘い状発行処理部２２によりお誘い状が発行されて、転送先の会員のメッセージボックス１８２に格納される（ステップＳ２８）。また、お誘い状発行通知メールが転送先の会員に対して送信される（ステップＳ３０）。そして、転送・アクセス履歴管理部２６によりお誘い状の転送履歴が更新される（ステップＳ３２）。
【００５０】
本実施形態によれば、招待制のコミュニケーションサイトにおいて、会員がお誘い状の転送を許可する範囲を設定することができるので、転送先の会員の範囲を適度に限定しながら、お誘い状を通じて交友範囲を拡げることができる。
【図面の簡単な説明】
【００５１】
【図１】本発明の一実施形態に係るコンテンツ送信装置を含むコンテンツ送信システムの主要構成を示すブロック図
【図２】お誘い状の転送処理を説明するための図
【図３】お誘い状の発行要求時にコンテンツ送信装置１０から会員端末１００に提供される操作画面（ＧＵＩ）を示す図
【図４】お誘いトピックの閲覧時の操作画面（ＧＵＩ）を示す図
【図５】お誘いトピックのステータスの閲覧画面（ＧＵＩ）を示す図
【図６】お誘い状の発行処理の流れを示すフローチャート
【図７】お誘い状の転送処理の流れを示すフローチャート
【符号の説明】
【００５２】
１０…コンテンツ送信装置、１２…通信制御部、１４…要求制御部、１６…会員管理データベース、１８…コンテンツ管理データベース、２０…コンテンツ更新処理部、２２…お誘い状発行処理部、２４…お誘いトピック生成処理部、２６…転送・アクセス履歴管理部
【図１】
2008226143.tif 000003
【図２】
2008226143.tif 000004
【図３】
2008226143.tif 000005
【図４】
2008226143.tif 000006
【図５】
2008226143.tif 000007
【図６】
2008226143.tif 000008
【図７】
2008226143.tif 000009